(57)【要約】      （修正有）【課題】障子の縦框に戸当り手段の加工を施すことなく、枠体のみに戸じゃくりを施して広範な自由度で気密性と遮光性を確保して障子を建て付けできる戸じゃくり枠ユニットを提供する。【解決手段】枠体の縦框１aの内面に戸じゃくり３が縦設され、該戸じゃくり３の両側壁３aに設けられるパッキン４が、その上下端を鴨居と敷居１dの接合位置決め端とし、横断面半円形で、内部に連通口４bで外気と連通する圧縮空間４aが形成され、半円形輪郭を対向して配設される。そして、戸じゃくり幅Ｗは障子の縦框幅Ｘに片側でパッキン幅ｗに所要修正代ｓを加算して求められる。【選択図】図２
2010248749.tif 000002
【特許請求の範囲】
【請求項１】
左右の縦框と、両縦框の上部に接合される鴨居と、その下部に接合される敷居とから内部に開口部が形成される木製の枠体と、該枠体に引き違い自在に建て付けられ該開口部を開閉自在に閉止する一対の引き戸とから成り、前記枠体の縦框の内面に戸じゃくりが縦設され、該戸じゃくりの両側壁にパッキンを添設して成る戸じゃくり枠ユニットにおいて、
前記パッキンがその上下端を鴨居と敷居の接合位置決め端とする横断面輪郭半円形で内部に外気と連通する圧縮空間が形成されるとともに、半円形輪郭を対向して前記戸じゃくりの両側壁にそれぞれ接合されて成り、前記戸じゃくりの溝幅が障子の縦框に対して片側でパッキン幅に所要修正代を加算した溝幅である戸じゃくり枠ユニット。
【請求項２】
前記枠体の各縦框における戸じゃくりが、それぞれ対面する一方の鴨居溝及び敷居溝の外部から他方の鴨居溝及び敷居溝の内部に渡って戸じゃくり幅Ｗ、深さＭで縦設され、該戸じゃくりの前記外部側の側壁に全長に渡って平坦部で添設されるパッキンが、その上下端部において、平坦部の厚さｔを残して鴨居厚及び敷居厚の各厚さ分だけ上下端から半円形輪郭がそれぞれ切除されるとともに、前記内部側の側壁に平坦部で添設されるパッキンが、その上下端部において、平坦部の厚さｔを残して鴨居厚及び敷居厚からそれぞれ各鴨居溝の深さ、敷居溝の深さを差し引いた残余分だけ上下端から半円形輪郭が切除された各位置決め端を有し、かつ、鴨居及び敷居の左右端に突設されるほぞが、前記戸じゃくり幅Ｗから平坦部の厚さｔの２倍（２t）を差し引いたほぞ幅（Ｗ−２t）と、前記深さと同寸の高さＭで形成されて成り、鴨居及び敷居がそれぞれ各パッキンの半円形輪郭切除端の各位置決め端でそれぞれ縦框に位置決めほぞ継ぎされて成る請求項１記載の戸じゃくり枠ユニット。
【請求項３】
前記枠体の各縦框における戸じゃくりが、それぞれ対面する一方の鴨居溝及び敷居溝の外部から他方の鴨居溝及び敷居溝の外部に渡って戸じゃくり幅Ｗ、深さＭで縦設され、該戸じゃくりの両側壁に全長に渡って平坦部で添設されるパッキンが、その上下端部において、平坦部の厚さｔを残して鴨居厚及び敷居厚の各厚さ分だけ上下端から半円形輪郭がそれぞれ切除された位置決め端を有し、かつ、鴨居及び敷居の左右端に突設されるほぞが、前記戸じゃくり幅Ｗから平坦部の厚さｔの２倍（２t）を差し引いたほぞ幅（Ｗ−２t）と、前記深さと同寸の高さＭで形成されて成り、鴨居及び敷居がそれぞれ各パッキンの半円形輪郭切除端の各位置決め端で、それぞれ縦框に位置決めほぞ継ぎされて成る請求項１記載の戸じゃくり枠ユニット。
【発明の詳細な説明】
【技術分野】
【０００１】
本発明は、主として建築構造の和室や洋室の出窓部に設けられる戸じゃくり枠ユニットに関する。
【背景技術】
【０００２】
木製の枠体に障子体を建て付けて気密性を確保する技術は、実開昭５８−１２６３９２号公報（特許文献１）に提案されているが、その枠体の左右の縦框と障子体２の縦かまち２Dとの戸当り構造は、同文献第１図示す縦かまち２Dの外端に縦かまち用気密材４が接合された構造であるから、経時変化によって建て付けに狂いが生じたときは隙間から日射しが漏れて美感を損ねる。そこで同上文献第２図に示す上下の気密構造におけるように、障子体２の上下かまち２A、２Bに上下かまち用気密材５を接合した構造を左右の戸当り構造に転用するとなると、障子体２の縦かまち２Dに気密構造を付加しなければならず、枠体の縦框に加工する戸じゃくりを障子体２の縦かまち２Dの気密構造に対応して施さねばならず、コストがかさむ割に障子体２の構造が限定されて、障子体２の態様を狭いものとする欠点がある。
また、引き戸本体１の先端を竪枠１０に設けた戸じゃくり１０aに嵌め込み、戸じゃくり１０aの両側壁から底壁にかけて断面がほぼ三角形で中空の防音パッキン１１が対称的に取り付けられた技術が実開平４−１１３６８９号公報（特許文献２）に提案されているが、前記防音パッキンは防音を目的とするものであるため中空部は外気と連通されず、しかも、その斜面に引き戸本体１の先端を戸じゃくり１０aの底壁から離した状態でその両隅角部を嵌入させる構造であるから、引き戸本体１や竪枠１０に前後方向や左右方向にそりや膨張などの変形を生じた場合は、防音パッキン１１と引き戸本体１の前端との嵌合がままならず、しかも、両防音パッキン１１と引き戸本体１の前後面とに隙間のない構造であるから、前記変形や引き戸本体１の厚みに対する自由度が狭いものである。
【先行技術文献】
【特許文献】
【０００３】
【特許文献１】実開昭５８−１２６３９２号公報
【特許文献２】実開平４−１１３６８９号公報
【発明の概要】
【発明が解決しようとする課題】
【０００４】
本発明は、障子の縦框に戸当り手段の加工を施すことなく、枠体のみに戸じゃくりを施して広範な自由度で気密性と遮光性を確保して障子を建て付けできる戸じゃくり枠ユニットを提案しようとするものである。
【課題を解決するための手段】
【０００５】
上記課題を解決するための本発明の請求項１に記載した戸じゃくり枠ユニットは、左右の縦框と、両縦框の上部に接合される鴨居と、その下部に接合される敷居とで内部に開口部が形成される木製の枠体と、該枠体に引き違い自在に建て付けられ該開口部を開閉自在に閉止する一対の引き戸とから成り、前記枠体の縦框の内面に戸じゃくりが縦設され、戸じゃくりの両側壁にパッキンを添設して成る戸じゃくり枠ユニットにおいて、
前記引き戸が障子から成り、前記パッキンがその上下端を鴨居と敷居の接合位置決め端とする横断面輪郭半円形で、内部に外気と連通する圧縮空間が形成されるとともに、半円形輪郭を対向して戸じゃくりの両側壁にそれぞれ接合されて成り、戸じゃくりの溝幅が障子の縦框に対して片側でパッキン幅に所要修正代を加算して求められる。
【０００６】
請求項２に記載した発明は、請求項１に記載した戸じゃくり枠ユニットにおいて、
前記枠体の各縦框における戸じゃくりが、それぞれ対面する一方の鴨居溝及び敷居溝の外部から他方の鴨居溝及び敷居溝の内部に渡って戸じゃくり幅Ｗ、深さＭで縦設され、該戸じゃくりの前記外部側の側壁に全長に渡って平坦部で添設されるパッキンが、その上下端部において、平坦部の厚さｔを残して鴨居厚及び敷居厚の各厚さ分だけ上下端から半円形輪郭がそれぞれ切除されるとともに、前記内部側の側壁に平坦部で添設されるパッキンが、その上下端部において、平坦部の厚さｔを残して鴨居厚及び敷居厚からそれぞれ各鴨居溝の深さ、敷居溝の深さを差し引いた残余分だけ上下端から半円形輪郭が切除された各位置決端を有し、かつ、鴨居及び敷居の左右端に突設されるほぞが、前記戸じゃくり幅Ｗから平坦部の厚さｔの２倍（２t）を差し引いたほぞ幅（Ｗ−２t）と、前記深さと同寸の高さＭで形成されて成り、鴨居及び敷居がそれぞれ各パッキンの半円形輪郭切除端の各位置決め端でそれぞれ縦框に位置決めほぞ継ぎされて成る。
【０００７】
請求項３に記載した発明は、請求項１に記載した戸じゃくり枠ユニットにおいて、
前記枠体の各縦框における戸じゃくりが、それぞれ対面する一方の鴨居溝及び敷居溝の外部から他方の鴨居溝及び敷居溝の外部に渡って戸じゃくり幅Ｗ、深さＭで縦設され、該戸じゃくりの両側壁に全長に渡って平坦部で添設されるパッキンが、その上下端部において、平坦部の厚さｔを残して鴨居厚及び敷居厚の各厚さ分だけ上下端から半円形輪郭がそれぞれ切除された位置決め端を有し、かつ、鴨居及び敷居の左右端に突設されるほぞが、前記戸じゃくり幅Ｗから平坦部の厚さｔの２倍（２t）を差し引いたほぞ幅（Ｗ−２t）と、前記深さと同寸の高さＭで形成されて成り、鴨居及び敷居がそれぞれ各パッキンの半円形輪郭切除端の各位置決め端で、それぞれ縦框に位置決めほぞ継ぎされて成る。
【発明の効果】
【０００８】
本発明は、枠体の縦框のみに戸じゃくりを設けたものであり、戸じゃくりの前後の両側壁にその上下端が鴨居と敷居の接合位置決め端となる横断面輪郭半円形で内部に外気と連通する圧縮空間を有するパッキンを設けたものであるから、枠体の組立て能率が向上し、障子の縦框幅が両パッキン間内の寸法から該パッキンの許容圧縮代を含む拡大寸法まで広範囲に許容されるほか、両パッキンの外気と連通する圧縮空間のクッション性によって枠体と障子との建て付けの前後方向のそりが吸収されて気密性が保持されるとともに、戸じゃくりの底面に障子の縦框の外端が当接されて該外端における遮光性も確保される効果がある。なお、戸じゃくり３には通常張り柾などの化粧板を貼着しているが、パッキン４を使用するのでこれを省略できる。
【０００９】
また、各パッキンの全長を各縦框の全長と同長とし、該パッキンの平坦部の厚さｔを残して半円形輪郭の位置決め端で縦框に対して鴨居及び敷居を位置を決めしてほぞ継ぎした場合には、鴨居及び敷居のほぞが、戸じゃくり幅の両側壁に添設されたパッキンの平坦部の両表面間に弾性的に密着嵌合されるから、ほぞ継ぎ部の気密性が確保されるとともに、ほぞ加工精度が緩和されて加工コストが低減される効果を奏する。さらに、戸じゃくりを広幅にしたものでは、引き戸(障子等)の縦框及び召し合わせ框の何れにおいても、開閉端における気密性と遮光性とを確保することができる。
【図面の簡単な説明】
【００１０】
【図１】本発明の戸じゃくり枠ユニットＡの斜視図。
【図２】図１のＡ−Ａ矢視拡大断面図。
【図３】図１の一部を省略したＢ−Ｂ矢視拡大断面図。
【図４】縦框１aと鴨居１cとのほぞ継ぎの他の実施態様における分解部分斜視図で、（ａ）はパッキン４の位置決め端４dを示す縦框１aの上部部分斜視図、（ｂ）は鴨居１cのほぞ１cbを示す端部部分斜視図。
【図５】縦框１aと鴨居１cと敷居１dとのほぞ継ぎにおける位置決め端の他の実施態様を示す分解部分斜視図。
【発明を実施するための形態】
【００１１】
本発明における枠体１の左右の縦框１a、１bと、両縦框１a、１bの上部に接合される鴨居１cと、その下部に接合される敷居１dは、それぞれ木製純無垢なものから集成材の表面を張り柾仕上げしたものまで多様な形態で提供される。戸じゃくり３の両側壁３aに設けるパッキン４は、弾性ゴムパッキンが良好なものとして選択され、その取り付けは側壁３aに貼着された両面接着テープ５を介して仮止め状態でステープルによる針６で接合され、その横断面は半円形で内部の圧縮空間４aの外気との連通口４bは戸じゃくり３の底面側に開口するものから円弧中心部でステープルによる針６の打ち込み部に設けるものがある。
【実施例】
【００１２】
本発明の戸じゃくり枠ユニットＡを一実施例により説明すると、図１に示すように、左右の縦框１a、１bと、両縦框１a、１bの上部にほぞ継ぎされてビス止めされる鴨居１cと、その下部に同様にほぞ継ぎされてビス止めされる敷居１dとから内部に開口部１eが形成される枠体１と、図３に示すように、枠体１の鴨居１cに設ける鴨居溝１caと、敷居１dに設ける敷居溝１daの滑り材１dbとに案内される一対の障子２、２とから成り、各障子２の縦框２aの先端部が挿し込まれる戸当り構造としての戸じゃくり３を図２に示すように、それぞれ左右の縦框１a、１bの内面に設け、各戸じゃくり３の両側壁３aにはそれぞれ上下端が鴨居１cと敷居１dの接合位置決め端となり横断面輪郭半円形で内部に外気と連通する圧縮空間４aを有するゴム質で弾性のあるパッキン４を設ける。すなわち、組立て前の各縦框１a、１bにおいて、その上下端が鴨居１cと敷居１dの接合位置決め端となる長さでその位置に、その半円形輪郭を対向させて、両面接着テープ５を介してその平坦部４cをステープルの針６で接合して成る。
このとき、戸じゃくり幅Ｗは障子２の縦框幅Ｘに対し、パッキン幅ｗ及び修正代ｓとすると、Ｗ＝Ｘ＋２（ｗ＋ｓ）となるが、具体的に本実施例では縦框幅Ｘを30mm、パッキン幅ｗを4mm、修正代ｓを2mmとするものであるから、戸じゃくり幅Ｗは42mmとなり、深さは7mmとして加工されたものである。
そして、パッキン４の圧縮空間４aと外気を連通する連通口４bは、戸じゃくり３の底面側で縦方向全長に渡って開口されるもので、平坦部を戸じゃくり３の側壁３aに針６で固定するときは連通口４bをめくり上げるようにしてなされる。
【００１３】
このようにして成る戸じゃくり枠ユニットＡは、障子２を閉めてその縦框２aを戸じゃくり３に収めるときは、その左右に各2mmの修正代ｓがあり、かつ、パッキン４の圧縮空間４aによる許容圧縮代（2mm程度）を有することから、主として障子２の縦框２aに前後方向（図２では左右方向）のそりや膨張などによる変形が生じても修正代ｓや許容圧縮代によって、縦框２aの先端は戸じゃくり３の底面まで確実に挿し込まれるから先端部での気密性が保持されるとともに、日射しの漏れなどもなく、遮光性も確保される。
【００１４】
また、枠体１の左右の縦框１a、１bにおける戸じゃくり３の位置と、戸じゃくり３の両側壁３aに添設されるパッキン４の上下に形成される位置決め端４dと、縦框１a、１bの上下にほぞ継ぎされる鴨居１cと敷居１dとの係わりの他の実施態様について、左方の縦框１aの戸じゃくり３と鴨居１cの左端のほぞ１cbとの関係で説明すると、図４（ａ）、（ｂ）に示すように、枠体１の左方の縦框１aにおける戸じゃくり３が、対面する一方（左方）の鴨居溝１caの外部（左方）から他方（右方）の鴨居溝１caの内部に渡って戸じゃくり幅Ｗ、深さＭで縦設され、戸じゃくり３の外部側の側壁３aに全長に渡って平坦部４cに添設されるパッキン４が、その上端部において平坦部４cの厚さｔを残して鴨居厚Ｄ分だけその上端から半円形輪郭が切除されるとともに、戸じゃくり３の内部側の側壁３aの平坦部４cに添設されるパッキン４が、その上端部において平坦部４cの厚さｔを残して鴨居厚Ｄから鴨居溝１caの深さｈを差し引いた残余分ｄだけ上端から半円形輪郭が切除された各位置決め端４dが形成され、かつ、鴨居１cの左端に突設されるほぞ１cbが、前記戸じゃくり幅Ｗから平坦部４cの厚さｔの２倍（２t）を差し引いたほぞ幅Ｗ−２tと、前記深さと同寸の高さＭで形成されて成り、鴨居１cが各パッキン４の半円形輪郭切除端である各位置決め端４dで左方の縦框１aに位置決めほぞ継ぎされる。同様に、左方の縦框１aと敷居
１dとのほぞ継ぎ構造及び右方の縦框１bと鴨居１c及び敷居１dとのほぞ継ぎ構造においても上述の位置決めがなされる。このことによって、ほぞ１cb、１dcと戸じゃくり３とが平坦部４cを介して弾性的に密着嵌合されることとなり、ほぞ継ぎの気密性が確保されるとともに、ほぞの加工精度が緩和されて加工コストが低減される。なお、戸じゃくり３の深さＭに関しては、その底面に化粧板等を貼り付けた場合は、縦框１a、１bの内面からその表面までの寸法となる。
【００１５】
このほか、戸じゃくり３と戸じゃくり３の両側壁３aに添設されるパッキン４の位置決め端の他の実施態様について説明すると、図５に示すように、戸じゃくり３は対面する一方の鴨居溝１ca及び敷居溝１daの外部から他方の鴨居溝１ca及び敷居溝１daの外部に渡って戸じゃくり幅Ｗ、深さＭで縦設され、戸じゃくり３の両側壁３aに全長に渡って平坦部４cで添設されるパッキン４は、その上下端部において、それぞれ上下端から平坦部４cの厚さｔを残して鴨居厚Ｄ及び敷居厚Ｄ分だけ半円形輪郭が切除されて位置決め端４dがそれぞれ形成される。この場合も、鴨居１c及び敷居１dのほぞ幅と高さは前記と同様にほぞ幅Ｗ−２t、高さＭで形成される。
上記の広幅の戸じゃくり３では、引き戸（障子２等）の開閉端の何れにおいても、すなわち、障子２の縦框２a及び召し合わせ框の何れが枠体１の縦框１a、１b側に閉じられても、各端は戸じゃくり３に収められ、その幅方向の何れか一面はパッキン４の半円形輪郭の部分で気密性と遮光性が図られる。
【産業上の利用可能性】
【００１６】
本発明の戸じゃくり枠ユニットは、枠体に建て付けられる一対の障子（引き戸等）には何ら戸当り手段を設けることなく、枠体に設けた戸じゃくりの障子の縦框幅に対する戸じゃくり幅と、修正代とパッキンの仕様によって障子の建て付けの気密性と遮光性が確保されるから、快適な居住空間を提供できることで住宅産業にとって有益である。
【符号の説明】
【００１７】
１：枠体
１a、１b：縦框
１c：鴨居
１ca：鴨居溝
１cb：ほぞ
１d：敷居
１da：敷居溝
１db：滑り材
１dc：ほぞ
１e：開口部
２：障子
２a：縦框
３：戸じゃくり
３a：側壁
４：パッキン
４a：圧縮空間
４b：連通口
４c：平坦部
４d：位置決め端
５：両面接着テープ
６：針
Ｄ：鴨居厚、敷居厚
ｄ：残余分
ｈ：深さ
Ｍ：深さ（高さ）
ｔ：厚さ
ｓ：修正代
Ｘ：縦框幅
ｗ：パッキン幅
Ｗ：戸じゃくり幅
Ａ：戸じゃくり枠ユニット
【図１】
2010248749.tif 000003
【図２】
2010248749.tif 000004
【図３】
2010248749.tif 000005
【図４】
2010248749.tif 000006
【図５】
2010248749.tif 000007